(57)【要約】【課題】ある設定距離に何らかの存在を確認すると検知ＯＮ状態になる測距式センサを有しているため、設定距離を便座装置の便座先端から、長く設けることができず、またトイレ室内への入り口から、便座装置までの距離が長くあったとしても、人体が便座装置のすぐ手前に立たない限り人体を検知しないことになり、便座装置とは独立したトイレ室内器具を最適なタイミングで連携動作させることが困難であるということ。【解決手段】センサユニット８と、センサユニット８の検知信号を受信する便座装置１０とを備え、センサユニット８を、トイレ室内の入り口近傍に配置することにより、トイレ室内の大きさにかかわらず、人体がトイレ室内に入った時点で、便座装置１０とは独立したトイレ室内器具１１を最適なタイミングで連携動作させることで、使い勝手のよいトワレ装置となる。【選択図】図１
2005143543.tif 000002
【特許請求の範囲】
【請求項１】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置とは独立したトイレ室内器具と、前記センサユニットから受信した検知信号及び前記トイレ室内器具の動作状態により、前記トイレ室内器具の動作を制御する制御手段とを備えたトイレ装置。
【請求項２】
便座装置に内蔵した第1の送受信手段と、トイレ室内器具に内蔵した第２の送受信手段を
備え、前記便座装置と前記トイレ室内器具との接続をワイヤレス通信とした請求項１に記載のトイレ装置。
【請求項３】
トイレ室内器具を照明器具とした請求項１または２に記載のトイレ装置。
【請求項４】
トイレ室内器具を換気扇とした請求項１または２に記載のトイレ装置。
【請求項５】
トイレ室内器具を暖房器具とした請求項１または２に記載のトイレ装置。
【請求項６】
トイレ室内器具を冷房器具とした請求項１または２に記載のトイレ装置。
【請求項７】
トイレ室内器具を脱臭器具とした請求項１または２に記載のトイレ装置。
【請求項８】
複数のトイレ室内器具を接続する構成とした請求項１または２に記載のトイレ装置。
【請求項９】
複数の便座装置でトイレ室内器具を共有する構成とした請求項１または２または８に記載のトイレ装置。
【発明の詳細な説明】
【技術分野】
【０００１】
本発明はトイレ装置に関するものである。
【背景技術】
【０００２】
従来、この種のトイレ装置は便座装置に人体検知センサを有し、人体を検知することで便座装置の便蓋を開いたりしている（例えば、特許文献１参照）。
【０００３】
図１０は前記広報に記載された従来のトイレ装置を示すものである。図１０に示すように、本体１と、センサ２と、便蓋３と、便座４と、検知エリア５から構成されている。
【特許文献１】特開２００１−１９０４５０号公報
【発明の開示】
【発明が解決しようとする課題】
【０００４】
しかしながら、前記従来の構成では、人体検知センサに、ある範囲に何らかの反射物があるとき検知ＯＮ状態になる測距式センサを用いており、検知距離が長いとトイレ室の壁により、常に検知ＯＮ状態になってしまうため、検知範囲は最も狭いトイレ室を前提に設定しなければらならないという課題を有していた。
【０００５】
またトイレ室内への入り口から、便座装置までの距離が長くあったとしても、人体が便座装置のすぐ手前に立たない限り人体を検知しないことになり、便座装置と独立したトイレ室内器具を最適なタイミングで連携動作させることが困難であるという課題を有していた。
【０００６】
本発明は前記従来の課題を解決するもので、トイレ室内の大きさにかかわらず、違和感を与えずに、最適のタイミングで、便座装置と独立したトイレ室内器具を連携動作させる、使い勝手のよいトイレ装置を提供することを目的とする。
【課題を解決するための手段】
【０００７】
前記従来の課題を解決するために、本発明のトイレ装置は、自動で人体の有無を検知するセンサユニットを、便座装置本体とは別にトイレ室内に配置したものである。
【０００８】
トイレ室内の入り口付近にセンサユニットを配置し、かつワイヤレス通信手段で便座装置本体に送信することにより、トイレ室内の大きさにかかわらず、トイレ室内に入った時点で人体を検知できるため、違和感を与えずに便座装置と独立したトイレ室内器具を連携動作させることが可能となる。
【発明の効果】
【０００９】
本発明のトイレ装置は、自動で人体の有無を検知するセンサユニットを、便座装置本体とは別にトイレ室内の入り口近傍に配置することにより、トイレ室内の大きさにかかわらず、人体がトイレ室内に入った時点で、違和感を与えずに便座装置と独立したトイレ室内器具を連携動作させることで、使い勝手をよくすることができる。
【発明を実施するための最良の形態】
【００１０】
第１の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置とは独立したトイレ室内器具と、前記センサユニットから受信した検知信号及び前記トイレ室内器具の動作状態により、前記トイレ室内器具の動作を制御する制御手段とを備えた構成とすることにより、トイレ室内の大きさにかかわらず、トイレ室内に入った時点で人体を検知できるため、違和感を与えずに便座装置と独立したトイレ室内器具を連携動作させることが可能となり、使い勝手のよいトワレ装置とすることができる。
【００１１】
第２の発明は、特に第１の発明の便座装置及びトイレ室内器具の接続をワイヤレス通信として、前記便座装置に内蔵した第1の送受信手段と、前記トイレ室内器具に内蔵した第２の送受信手段を備えた構成とすることにより、前記便座装置及び前記トイレ室内器具の間の配線が不要となるため、前記トイレ室内器具の配置の自由度を高くすることが可能となり、使い勝手のよいトワレ装置とすることができる。
【００１２】
第３の発明は、特に第１の発明または第２の発明のトイレ室内器具を、照明器具とすることにより、人体を検知した後、すぐに前記照明器具を連携動作させることで、違和感を与えずに前記照明器具を点灯してトイレ室内を明るくし、人体を検知しなくなった後、消灯することが可能となり、必要な時のみ照明を使用する、使い勝手のよいトワレ装置とすることができる。
【００１３】
第４の発明は、特に第１の発明または第２の発明のトイレ室内器具を、換気扇とすることにより、人体を検知した後、すぐに前記換気扇を連携動作させることで、違和感を与えずにトイレ室内の換気を行うことが可能となり、換気の行き届いた、使い勝手のよいトワレ装置とすることができる。
【００１４】
第５の発明は、特に第１の発明または第２の発明のトイレ室内器具を、暖房器具とすることにより、人体を検知した後、すぐに前記暖房器具を連携動作させることで、違和感を与えずにトイレ室内の温度を上げることが可能となり、特に気温の低い時期について、使い勝手のよいトワレ装置とすることができる。
【００１５】
第６の発明は、特に第１の発明または第２の発明のトイレ室内器具を、冷房器具とすることにより、人体を検知した後、すぐに前記冷房器具を連携動作させることで、違和感を与えずにトイレ室内の温度を下げることが可能となり、特に気温の高い時期について、使い勝手のよいトワレ装置とすることができる。
【００１６】
第７の発明は、特に第１の発明または第２の発明のトイレ室内器具を、脱臭器具とすることにより、人体を検知した後、すぐに前記脱臭器具を連携動作させることで、違和感を与えずにトイレ室内の臭気を取り除くことが可能となり、臭気による不快感の少ない、使い勝手のよいトワレ装置とすることができる。
【００１７】
第８の発明は、特に第１の発明または第２の発明のトイレ室内器具を、複数接続する構成とすることにより、人体を検知した後、違和感を与えずに複数の前記トイレ室内器具を個別に連携動作させることが可能となり、状況に応じて機能の異なる複数の器具を使い分ける、使い勝手のよいトワレ装置とすることができる。
【００１８】
第９の発明は、特に第１の発明または第２の発明または第８の発明のトイレ室内器具を、複数の便座装置で共有する構成とすることにより、複数のトイレ室内の内の１つにおいて、人体を検知した後、違和感を与えずに前記トイレ室内器具を連動動作させることが可能となり、同じ機能を有する器具を、トイレ室の数と同じだけ重複して設置する必要のない、使い勝手のよいトワレ装置とすることができる。
【００１９】
以下本発明の実施の形態について、図面を参照しながら説明する。なお、本実施の形態によって本発明が限定されるものではない。
【００２０】
（実施の形態１）
図１は本発明の第１の実施の形態におけるトイレ装置のブロック図である。
【００２１】
図１において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１１は便座装置１０とは独立したトイレ室内器具、１２はセンサユニット８から受信した検知信号及びトイレ室内器具１１の動作状態により、トイレ室内器具１１の動作を制御する制御手段である。
【００２２】
以上のように構成されたトイレ装置について以下その動作、作用を説明する。
【００２３】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段１２に情報を伝達する。
【００２４】
そして制御手段１２は、便座装置１０とは独立したトイレ室内器具１１の動作状態を確認した後、トイレ室内器具１１に制御信号を伝達して、トイレ室内器具１１の動作の制御をすることで、人体がトイレ室内に入ったタイミングにあわせて連携動作させることができる。
【００２５】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立したトイレ室内器具１１と、センサユニット８から受信した検知信号及びトイレ室内器具１１の動作状態により、トイレ室内器具１１の動作を制御する制御手段１２とを備えた構成とすることにより、トイレ室内の大きさにかかわらず、トイレ室内に入った時点で人体を検知できるため、違和感を与えずにトイレ室内機器１１を連携動作させることが可能となり、使い勝手のよいトワレ装置とすることができる。
【００２６】
（実施の形態２）
図２は本発明の第２の実施の形態におけるトイレ装置のブロック図である。
【００２７】
図２において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１１は便座装置１０とは独立したトイレ室内器具、１２はセンサユニット８から受信した検知信号及びトイレ室内器具１１の動作状態により、トイレ室内器具１１の動作を制御する制御手段、１３は便座装置１０に内蔵された第１の送受信手段、１４はトイレ室内器具１１に内蔵された第２の送受信手段である。
【００２８】
以上のように構成されたトイレ装置について以下その動作、作用を説明する。
【００２９】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段１２に情報を伝達する。
【００３０】
そして制御手段１２は、第１の送受信手段１３及び第２の送受信手段１４を介して、便座装置１０とは独立したトイレ室内器具１１の動作状態を確認した後、トイレ室内器具１１に制御信号を伝達して、トイレ室内器具１１の動作の制御をすることで、人体がトイレ室内に入ったタイミングにあわせて連携動作させることができる。
【００３１】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立したトイレ室内器具１１と、センサユニット８から受信した検知信号及びトイレ室内器具１１の動作状態により、トイレ室内器具１１の動作を制御する制御手段１２と便座装置１０に内蔵された第１の送受信手段１３と、トイレ室内器具１１に内蔵された第２の送受信手段１４を備えた構成とすることにより、トイレ室内の大きさにかかわらず、トイレ室内に入った時点で人体を検知できるため、違和感を与えずにトイレ室内機器１１を連携動作させることが可能であり、なおかつ便座装置１０及びトイレ室内器具１１の間の配線が不要となるため、トイレ室内器具１１の配置の自由度を高くすることが可能となった、使い勝手のよいトワレ装置とすることができる。
【００３２】
（実施の形態３）
図３は本発明の第３の実施の形態におけるトイレ装置のブロック図である。
【００３３】
図３において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１５は便座装置１０とは独立した照明器具、１６はセンサユニット８から受信した検知信号により、照明器具１５を制御する制御手段である。
【００３４】
以上のように構成されたトイレ装置について以下その動作、作用を説明する。
【００３５】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段１６に情報を伝達する。
【００３６】
そして制御手段１６は、便座装置１０とは独立した照明器具１５の動作状態を確認した後、照明器具１５に制御信号を伝達して、照明器具１５の動作の制御をすることで、人体がトイレ室内に入ったタイミングにあわせて連携動作させることができる。
【００３７】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立した照明器具１５と、センサユニット８から受信した検知信号により、照明器具１５の動作を制御する制御手段１６とを備えた構成とすることにより、人体を検知した後、すぐに照明器具１５を連携動作させることで、違和感を与えずに照明器具１５を点灯してトイレ室内を明るくし、人体を検知しなくなった後、消灯することが可能となり、必要な時のみ照明を使用する、使い勝手のよいトワレ装置とすることができる。
【００３８】
（実施の形態４）
図４は本発明の第４の実施の形態におけるトイレ装置のブロック図である。
【００３９】
図４において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１７は便座装置１０とは独立した換気扇、１８はセンサユニット８から受信した検知信号により、換気扇１７を制御する制御手段である。
【００４０】
以上のように構成されたトイレ装置について以下その動作、作用を説明する。
【００４１】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段１８に情報を伝達する。
【００４２】
そして制御手段１８は、便座装置１０とは独立した換気扇１７の動作状態を確認した後、換気扇１７に制御信号を伝達して、換気扇１７の動作の制御をすることで、人体がトイレ室内に入ったタイミングにあわせて連携動作させることができる。
【００４３】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立した換気扇１７と、センサユニット８から受信した検知信号により、換気扇１７の動作を制御する制御手段１８とを備えた構成とすることにより、人体を検知した後、すぐに換気扇１７を連携動作させることで、違和感を与えずにトイレ室内の換気を行うことが可能となり、換気の行き届いた、使い勝手のよいトワレ装置とすることができる。
【００４４】
（実施の形態５）
図５は本発明の第５の実施の形態におけるトイレ装置のブロック図である。
【００４５】
図５において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１９は便座装置１０とは独立した暖房器具、２０はセンサユニット８から受信した検知信号により、暖房器具１９を制御する制御手段である。
【００４６】
以上のように構成されたトイレ装置について以下その動作、作用を説明する。
【００４７】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段２０に情報を伝達する。
【００４８】
そして制御手段２０は、便座装置１０とは独立した暖房器具１９の動作状態を確認した後、暖房器具１９に制御信号を伝達して、暖房器具１９の動作の制御をすることで、人体がトイレ室内に入ったタイミングにあわせて連携動作させることができる。
【００４９】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立した暖房器具１９と、センサユニット８から受信した検知信号により、暖房器具１９の動作を制御する制御手段２０とを備えた構成とすることにより、人体を検知した後、すぐに暖房器具１９を連携動作させることで、違和感を与えずにトイレ室内の温度を上げることが可能となり、特に気温の低い時期について、使い勝手のよいトワレ装置とすることができる。
【００５０】
（実施の形態６）
図６は本発明の第６の実施の形態におけるトイレ装置のブロック図である。
【００５１】
図６において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、２１は便座装置１０とは独立した冷房器具、２２はセンサユニット８から受信した検知信号により、冷房器具２１を制御する制御手段である。
【００５２】
以上のように構成されたトイレ装置について以下その動作、作用を説明する。
【００５３】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段２２に情報を伝達する。
【００５４】
そして制御手段２２は、便座装置１０とは独立した冷房器具２１の動作状態を確認した後、冷房器具２１に制御信号を伝達して、冷房器具２１の動作の制御をすることで、人体がトイレ室内に入ったタイミングにあわせて連携動作させることができる。
【００５５】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立した冷房器具２１と、センサユニット８から受信した検知信号により、冷房器具２１の動作を制御する制御手段２２とを備えた構成とすることにより、人体を検知した後、すぐに冷房器具２１を連携動作させることで、違和感を与えずにトイレ室内の温度を下げることが可能となり、特に気温の高い時期について、使い勝手のよいトワレ装置とすることができる。
【００５６】
（実施の形態７）
図７は本発明の第７の実施の形態におけるトイレ装置のブロック図である。
【００５７】
図７において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、２３は便座装置１０とは独立した脱臭器具、２４はセンサユニット８から受信した検知信号により、脱臭器具２３を制御する制御手段である。
【００５８】
以上のように構成されたトイレ装置について以下その動作、作用を説明する。
【００５９】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段２４に情報を伝達する。
【００６０】
そして制御手段２４は、便座装置１０とは独立した脱臭器具２３の動作状態を確認した後、脱臭器具２３に制御信号を伝達して、脱臭器具２３の動作の制御をすることで、人体がトイレ室内に入ったタイミングにあわせて連携動作させることができる。
【００６１】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立した脱臭器具２３と、センサユニット８から受信した検知信号により、脱臭器具２３の動作を制御する制御手段２４とを備えた構成とすることにより、人体を検知した後、すぐに脱臭器具２３を連携動作させることで、違和感を与えずにトイレ室内の臭気を取り除くことが可能となり、臭気による不快感の少ない、使い勝手のよいトワレ装置とすることができる。
【００６２】
（実施の形態８）
図８は本発明の第８の実施の形態におけるトイレ装置のブロック図である。
【００６３】
図８において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、２５は便座装置１０とは独立した第１のトイレ室内器具、２６は便座装置１０とは独立した第２のトイレ室内器具、２７はセンサユニット８から受信した検知信号により、第１のトイレ室内器具２５及び第２のトイレ室内器具２６を制御する制御手段である。
【００６４】
以上のように構成されたトイレ装置について以下その動作、作用を説明する。
【００６５】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段２７に情報を伝達する。
【００６６】
そして制御手段２７は、便座装置１０とは独立した第１のトイレ室内器具２５及び第２のトイレ室内器具２６の動作状態を確認した後、第１のトイレ室内器具２５及び第２のトイレ室内器具２６にそれぞれ個別に状況に合わせた制御信号を伝達して、第１のトイレ室内器具２５及び第２のトイレ室内器具２６の動作の制御をすることで、人体がトイレ室内に入ったタイミングにあわせて連携動作させることができる。
【００６７】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置されたセンサユニット８と、センサユニット８が送信した検知信号を受信する受信手段９と、受信手段９を内蔵した便座装置１０と、便座装置１０とは独立した第１のトイレ室内器具２５と、便座装置１０とは独立した第２のトイレ室内器具２６と、センサユニット８から受信した検知信号により、第１のトイレ室内器具２５及び第２のトイレ室内器具２６の動作を制御する制御手段２７とを備えた構成とすることにより、人体を検知した後、違和感を与えずに第１のトイレ室内器具２５及び第２のトイレ室内器具２６を個別に連携動作させることが可能となり、状況に応じて機能の異なる複数の器具を使い分ける、使い勝手のよいトワレ装置とすることができる。
【００６８】
なお、本実施の形態においては、トイレ室内器具の数を２つとしたが、３つ以上の場合においても同様である。
【００６９】
（実施の形態９）
図９は本発明の第９の実施の形態におけるトイレ装置のブロック図である。
【００７０】
図９において、２８は第１のトイレ室内において人体の有無を検知する第１の検知手段、２９は第１の検知手段２８に基づいた検知信号を送信する第１の送信手段、３０は第１の検知手段２８及び第１の送信手段２９を内蔵し、第１のトイレ室内の入り口近傍に配置された第１のセンサユニット、３１は第１のセンサユニット３０が送信した検知信号を受信する第１の受信手段、３２は第１の受信手段３１を内蔵する第１の便座装置、３３は第１の便座装置３２とは独立したトイレ室内器具、３４は第１のセンサユニット３０から受信した検知信号により、トイレ室内器具３３を制御する第１の制御手段、３５は第２のトイレ室内において人体の有無を検知する第２の検知手段、３６は第２の検知手段３５に基づいた検知信号を送信する第２の送信手段、３７は第２の検知手段３５及び第２の送信手段３６を内蔵し、第２のトイレ室内の入り口近傍に配置された第２のセンサユニット、３８は第２のセンサユニット３７が送信した検知信号を受信する第２の受信手段、３９は第２の受信手段３８を内蔵する第２の便座装置、４０は第２のセンサユニット３７から受信した検知信号により、第２の便座装置とは独立したトイレ室内器具３３を制御する制御手段である。
【００７１】
以上のように構成されたトイレ装置について以下その動作、作用を説明する。
【００７２】
まず、第１のトイレ室内の入り口近傍に配置された第１のセンサユニット３０に内蔵された第１の検知手段２８が、人体がトイレ室内に入った時点で、人体がトイレ室内に存在することを検知し、その情報に基づいて第１の送信手段２９が検知信号を送信する。次に第１の便座装置３２に内蔵された第１の受信手段３１が第１の送信手段２９から送信された検知信号を受信し、第１の制御手段３４に情報を伝達する。
【００７３】
そして第１の制御手段３４は、第１の便座装置３２とは独立したトイレ室内器具３３の動作状態を確認した後、トイレ室内器具３３に制御信号を伝達して、トイレ室内器具３３の動作の制御をすることで、人体がトイレ室内に入ったタイミングにあわせて連携動作させることができる。
【００７４】
またこれと同様に第２のトイレ室内の入り口近傍に配置された第２のセンサユニット３７に内蔵された第２の検知手段３５が、人体がトイレ室内に入った時点で、人体がトイレ室内に存在することを検知し、その情報に基づいて第２の送信手段３６が検知信号を送信する。次に第２の便座装置３９に内蔵された第２の受信手段３８が第２の送信手段３６から送信された検知信号を受信し、第２の制御手段４０に情報を伝達する。
【００７５】
そして第２の制御手段４０は、第２の便座装置３９とは独立したトイレ室内器具３３の動作状態を確認した後、トイレ室内器具３３に制御信号を伝達して、トイレ室内器具３３の動作の制御をすることで、人体がトイレ室内に入ったタイミングにあわせて連携動作させることができる。
【００７６】
以上のように、本実施の形態においては、第１のトイレ室内において、人体の有無を検知する第１の検知手段２８と、第１の検知手段２８に基づいた検知信号を送信する第１の送信手段２９と、第１の検知手段２８及び第１の送信手段２９を内蔵し、第１のトイレ室内の入り口近傍に配置された第１のセンサユニット３０と、第１のセンサユニット３０が送信した検知信号を受信する第１の受信手段３１と、第１の受信手段３１を内蔵した第１の便座装置３２と、第１の便座装置３２とは独立したトイレ室内器具３３と、第１のセンサユニット３０から受信した検知信号により、トイレ室内器具３３の動作を制御する第１の制御手段３４と、第２のトイレ室内において、人体の有無を検知する第２の検知手段３５と、第２の検知手段３５に基づいた検知信号を送信する第２の送信手段３６と、第２の検知手段３５及び第２の送信手段３６を内蔵し、第２のトイレ室内の入り口近傍に配置された第２のセンサユニット３７と、第２のセンサユニット３７が送信した検知信号を受信する第２の受信手段３８と、第２の受信手段３８を内蔵した第２の便座装置３９と、第２のセンサユニット３７から受信した検知信号により、トイレ室内器具３３の動作を制御する第２の制御手段４０とを備えた構成とすることにより、第１のトイレ室内及び第２のトイレ室内の内の１つにおいて、人体を検知した後、違和感を与えずにトイレ室内器具３３を連動動作させることが可能となり、同じ機能を有する器具を、トイレ室の数と同じだけ重複して設置する必要のない、使い勝手のよいトワレ装置とすることができる。
【００７７】
なお、本実施の形態においては、便座装置の数を２つとしたが、３つ以上の場合においても同様である。
【産業上の利用可能性】
【００７８】
以上のように、本発明にかかるトイレ装置は、自動で人体の有無を検知するセンサユニットを、便座装置本体とは別にトイレ室内の入り口近傍に配置することにより、トイレ室内の大きさにかかわらず、トイレ室内に入った時点で人体を検知し、違和感を与えずにトイレ室内器具を連携動作させることが可能となるので、人体検知機能を備えた機器の外付け器具の制御等の用途にも適用できる。
【図面の簡単な説明】
【００７９】
【図１】本発明の実施の形態１のトイレ装置のブロック図
【図２】本発明の実施の形態２のトイレ装置のブロック図
【図３】本発明の実施の形態３のトイレ装置のブロック図
【図４】本発明の実施の形態４のトイレ装置のブロック図
【図５】本発明の実施の形態５のトイレ装置のブロック図
【図６】本発明の実施の形態６のトイレ装置のブロック図
【図７】本発明の実施の形態７のトイレ装置のブロック図
【図８】本発明の実施の形態８のトイレ装置のブロック図
【図９】本発明の実施の形態９のトイレ装置のブロック図
【図１０】従来のトイレ装置を示す斜視図
【符号の説明】
【００８０】
６  検知手段
７  送信手段
８  センサユニット
９  受信手段
１０  便座装置
１１  トイレ室内器具
１２  制御手段
１３  第１の送受信手段
１４  第２の送受信手段
１５  照明器具
１６  制御手段
１７  換気扇
１８  制御手段
１９  暖房器具
２０  制御手段
２１  冷房器具
２２  制御手段
２３  脱臭器具
２４  制御手段
２５  第１のトイレ室内器具
２６  第２のトイレ室内器具
２７  制御手段
２８  第１の検知手段
２９  第１の送信手段
３０  第１のセンサユニット
３１  第１の受信手段
３２  第１の便座装置
３３  トイレ室内器具
３４  第１の制御手段
３５  第２の検知手段
３６  第２の送信手段
３７  第２のセンサユニット
３８  第２の受信手段
３９  第２の便座装置
４０  第２の制御手段
【図１】
2005143543.tif 000003
【図２】
2005143543.tif 000004
【図３】
2005143543.tif 000005
【図４】
2005143543.tif 000006
【図５】
2005143543.tif 000007
【図６】
2005143543.tif 000008
【図７】
2005143543.tif 000009
【図８】
2005143543.tif 000010
【図９】
2005143543.tif 000011
【図１０】
2005143543.tif 000012